(57)【要約】【課題】シャックルの施錠・解錠を行うことにより、同時に鍵収納部の開口を開閉して、鍵や小物の収納・取出しができる鍵保管庫を提供する。【解決手段】シャックル２を施錠・解錠を行う錠本体１の側面１ａにより開口部４１を閉塞される鍵収納ケース４を、前記錠本体１の下端に開閉自在に枢着したうえ、該鍵収納ケース４の開口部４１が前記錠本体１の側面１ａにより閉塞された状態において該鍵収納ケース４の上板部４２に設けた凹部４２ａに前記シャックル２の短脚部２３が施錠時に嵌合するものとする。【選択図】図１
0003150784.tif 000002
【実用新案登録請求の範囲】
【請求項１】
シャックルを施錠・解錠を行う錠本体の側面により開口部を閉塞される鍵収納ケースを、前記錠本体の下端に開閉自在に枢着したうえ、該鍵収納ケースの開口部が前記錠本体の側面により閉塞された状態において該鍵収納ケースの上板部に設けた凹部に前記シャックルの短脚部が施錠時に嵌合するものとしたことを特徴とする鍵保管庫。
【請求項２】
前記鍵収納ケースが前記錠本体の側面に対して６０度乃至９０度の角度に規制されて回動するように前記錠本体の下端に開閉自在に枢着した請求項１に記載の鍵保管庫。
【請求項３】
前記シャックルを施錠・解錠する錠本体１をダイヤル錠３とした請求項１又は２に記載の鍵保管庫。
【請求項４】
前記錠本体の側面に前記鍵収納ケースに収納される鍵の鍵保持部材を設けた請求項１又は２又は２に記載の鍵保管庫。
【考案の詳細な説明】
【技術分野】
【０００１】
本考案は、ドアノブ等にシャックルにより着脱自在に取り付ける鍵保管庫に関するものである。
【背景技術】
【０００２】
ドアノブ等にシャックルを着脱自在に取り付けた鍵保管庫としては、特許文献１、２に示すものなど種々のものが従来技術として知れている。
【０００３】
ところが、前記した特許文献１及び２から知られるものは、シャックルの施錠・解錠と鍵収納部の蓋の開閉を別異の操作により行う必要があり、そのため鍵や小物の収納・取り出しに手間取るという問題がある。
【先行技術文献】
【特許文献】
【０００４】
【特許文献１】特開２００８−１７９９８１号公報
【特許文献２】特開２００１−１２１２１号公報
【考案の概要】
【考案が解決しようとする課題】
【０００５】
本考案は前記のような問題を解決して、シャックルの施錠・解錠を行うことにより同時に鍵収納部を開閉を行うことができ、鍵や小物の収納・取り出しが容易に行うことができる鍵保管庫を提供することを目的として完成されたものである。
【課題を解決するための手段】
【０００６】
本考案の鍵保管庫は、シャックルを施錠・解錠を行う錠本体の側面により開口部を閉塞される鍵収納ケースを、前記錠本体の下端に開閉自在に枢着したうえ、該鍵収納ケースの開口部が前記錠本体の側面により閉塞された状態において該鍵収納ケースの上板部に設けた凹部に前記シャックルの短脚部が施錠時に嵌合するものとしたことを特徴とするものを基本の考案とする。
【０００７】
そして、前記考案において鍵収納ケースが前記錠本体の側面に対して６０度乃至９０度の角度に規制されて回動するように前記錠本体の下端に開閉自在に枢着することが好ましいものである。また、前記の考案において、シャックルを施錠・解錠を行う錠本体をダイヤル錠とすることが好ましく、さらに、錠本体の側面に鍵収納ケースに収納される鍵の保持する鍵保持部材を設けてもよいものである。
【考案の効果】
【０００８】
前記した本考案の鍵保管庫は、シャックルを解錠することにより、鍵収納ケースの上板部に設けた凹部から前記シャックルの短脚部の嵌合が解除されて、鍵収納ケースは錠本体の下端に枢着している箇所を支点に回動して錠本体の側面により閉塞されている開口部が開くこととなるので、該鍵収納ケースに鍵を収納する。そして、鍵収納ケースを逆回動させて開口部を錠本体の側面で閉塞して、シャックルをドアノブの首部やポール等に設けたリングに巻掛けて、シャックルの短脚部を鍵収納ケースの上板部に設けた凹部に嵌合させて該シャックルの施錠を行えば、鍵保管庫は鍵収納ケースが開くことなくドアノブ等に取り付けできるので、鍵を安全に保管することができるものである。
【０００９】
また、鍵を取り出す場合には、シャックルを解錠させて、鍵収納ケースの上板部に設けた凹部から前記シャックルの短脚部の嵌合が解除して、鍵収納ケースを錠本体の下端に枢着している箇所を支点に回動して錠本体の側面により閉塞されている開口部を開けて、該鍵収納ケースから鍵を取り出すことができるものである。
【００１０】
なお、鍵収納ケースを前記錠本体の側面に対して６０度乃至９０度の角度に規制されて回動するように前記錠本体の下端に開閉自在に枢着したものとすると、前記シャックルがドアノブの首に係止した状態において鍵を鍵収納ケース内で受け止める上板部が下方に傾いて鍵収納ケースに収納した鍵が落下する虞のないものである。鍵収納ケースを前記錠本体の側面に対して６０度乃至９０度の角度に規制されて回動するように限定したのは、６０度以下では開き角度が狭く鍵の出し入れに錠本体の側面が邪魔になり、また、９０度を超えると鍵収納ケースの上板部が下方に傾いて抜いて鍵が鍵収納ケースの開口部から滑り落ちる虞があるからである。
【００１１】
このように、本考案の鍵保管庫はシャックルの施錠・解錠の操作により鍵収納ケースの開口部の開閉も同時に行うことができるので、鍵の保管、取出しが容易なものである。
【００１２】
また、シャックルを施錠・解錠する錠本体をダイヤル錠とすることにより、関係者にダイヤル番号を知らせることより鍵の出し入れができるものである。さらに、錠本体の側面に鍵収納ケースに収納される鍵の保持部を設けたものとすることにより、鍵収納ケースを開けた状態において鍵が露出することとなるので、鍵の保管・取出しに便宜なものとなる。
【図面の簡単な説明】
【００１３】
【図１】本考案の実施形態を示す正面図。
【図２】本考案の実施形態を鍵収納ケースを開いて示す一部切欠正面図。
【図３】本考案の実施形態の他例を鍵収納ケースを開いて示す一部切欠正面図。
【考案を実施するための形態】
【００１４】
次に、本考案の好ましい実施の形態を図面に基づき説明する。
１はシャックル２を施錠・解錠する錠本体であり、該錠本体１は錠本体ケース部１１に前記シャックル２の長脚部２１の下方に設けたキー軸３１にダイヤルリング３２の解錠位置と施錠位置を合わせることによりシャックル２を解錠・施錠させるダイヤル錠３を設けたものである。なお、前記シャックル２はキー軸３１を下端に設けた前記長脚部２１の上端に湾曲部２２を介して短脚部２３を該長脚部２１の上部と対向させて連設したもので、後記するように施錠時に前記短脚部２３の先端が鍵収納ケース４の上板部４２に設けた凹部４２ａに嵌合するものとしている。
【００１５】
４は前記錠本体１の側面１ａにより開口部４１を開閉される鍵収納ケースである。この鍵収納ケース４は開口部４１の下端を前記錠本体１の下端に枢着して該枢着箇所を支点に回動して開口部４１を錠本体１の側面１ａにより開閉されるものとしている。なお、前記鍵収納ケース４は前記錠本体１の側面１ａに対して６０度乃至９０度の角度に規制されて回動するように前記錠本体１の下端に開閉自在に枢着したものとしている。
【００１６】
そして、前記鍵収納ケース４は開口部４１を前記錠本体１の錠本体１の側面１ａにより閉塞された状態において該鍵収納ケース４の上板部４２に設けた凹部４２ａに前記シャックル２の短脚部２３が施錠時に嵌合するものとして、鍵収納ケース４の閉塞状態を保持するものである。
【００１７】
また、図３に示す、５は前記鍵収納ケース４の開口部４１を開閉する錠本体１の側面１ａに設けた鍵保持部材である。この鍵保持部材５は図示のものは錠本体１の側面１ａに突設した腕部５０にフック５１を設けたもので、該フック５１に鍵（イ）を係止するものである。
【００１８】
このように構成されたものは、シャックル２の長脚部２１の下方に設けたキー軸３１にダイヤルリング３２を解錠位置に合わせてダイヤル錠３により錠本体１からシャックル２を解錠状態とする。そうして、シャックル２の長脚部２１を上動させれば、それに伴いシャックル２の短脚部２３の先端が鍵収納ケース４の上板部４２に設けた凹部４２ａへの嵌合が解除されて、鍵収納ケース４は錠本体３の下端に枢着している箇所を支点に回動して錠本体１の側面１ａにより閉塞されている開口部４１が開くこととなる。
【００１９】
そこで、該鍵収納ケース４に玄関用鍵、自動車用鍵等の鍵を収納する。その後に、鍵収納ケース４を逆回動させて開口部４１を錠本体１の側面１ａで閉塞して、シャックル２の湾曲部２２をドアノブの首部やポール等に設けたリングに巻掛けて、シャックル２の短脚部２３を鍵収納ケース４の上板部４２に設けた凹部４２ａに嵌合させて該シャックル２の施錠を行えば、鍵保管庫は鍵収納ケース４を開くことなくドアノブ等から取り外すことできないように取付て、鍵を安全に保管することができるものである。
【００２０】
また、鍵を取り出す場合には、シャックル２２を解錠させて、鍵収納ケース４の上板部４２に設けた凹部４２ａから前記シャックル２の短脚部２３の嵌合が解除して、鍵収納ケース４を錠本体１の下端に枢着している箇所を支点に回動して錠本体１の側面１ａにより閉塞されている開口部４１が開くこととなるので、該鍵収納ケースから鍵を取り出すことができるものである。
【００２１】
なお、前記鍵収納ケース４を前記錠本体１の側面１ａに対して６０度乃至９０度の角度に規制されて回動するように前記錠本体１の下端に開閉自在に枢着したものとすると、前記シャックル２がドアノブの首に係止した状態において鍵を鍵収納ケース４内で受け止める上板部４２が下方に傾いて鍵が鍵収納ケース４の開口部４１から滑り落ちる虞のないものである。
【００２２】
また、前記鍵収納ケース４を前記錠本体１の側面１ａに対して６０度乃至９０度の角度に規制されて回動するように限定したのは、６０度以下では開き角度が狭くて錠本体１の側面１ａが鍵の出し入れに邪魔になるこによる。また、９０度を超えると前記鍵収納ケース４の上板部４２が下方に傾いて鍵が鍵収納ケース４の開口部４１から滑り落ちる虞があるからである。開口部４１がやや下向きとなり鍵が鍵収納ケース４から落下する虞があるからである。
【００２３】
また、前記錠本体１をダイヤル錠３とすることにより、関係者にダイヤル番号を知らせることより鍵の出し入れができるもので便宜であるが、ダイヤル錠３とすることなく鍵錠としてもよいものである。
【００２４】
このように、シャックル２の施錠・解錠の操作により鍵収納ケース４の開口部４１の開閉も同時に行うことができるので、鍵の保管、取出しが容易なものである。
【００２５】
さらに、図７に示すように錠本体１の側面１ａに鍵収納ケース４１に収納される鍵（イ）の鍵保持部５を設けたものとすると、鍵収納ケース４を開けた状態において鍵（イ）が露出することとなるので、鍵の保管・取出しが容易なものとなる。
【符号の説明】
【００２６】
１  錠本体
1a  側面
２  シャックル
23  短脚部
３  ダイヤル錠
４  鍵収納ケース
41  開口部
42  上板部
42a  凹部
５  鍵保持部材
【図１】
0003150784.tif 000003
【図２】
0003150784.tif 000004
【図３】
0003150784.tif 000005
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
シャックルを施錠・解錠を行う錠本体の側面により開口部を閉塞される鍵収納ケースを、前記錠本体の下端に開閉自在に枢着したうえ、該鍵収納ケースの開口部が前記錠本体の側面により閉塞された状態において該鍵収納ケースの上板部に設けた凹部に前記シャックルの短脚部が施錠時に嵌合するものとしたことを特徴とする鍵保管庫。
【請求項２】
前記鍵収納ケースが前記錠本体の側面に対して６０度乃至９０度の角度に規制されて回動するように前記錠本体の下端に開閉自在に枢着した請求項１に記載の鍵保管庫。
【請求項３】
前記シャックルを施錠・解錠する錠本体１をダイヤル錠３とした請求項１又は２に記載の鍵保管庫。
【請求項４】
前記錠本体の側面に前記鍵収納ケースに収納される鍵の鍵保持部材を設けた請求項１又は２又は３に記載の鍵保管庫。